(57)【要約】【課題】住戸内の梁型をなくすことができる板状の形態の集合住宅建物を提供する。【解決手段】桁行方向に長い平面形状とされ、各階に複数の住戸１２が桁行方向に沿って配置される板状の形態の集合住宅建物１０において、桁行方向の主架構をラーメン構造１４で構成し、梁間方向の主架構を耐震壁１６で構成し、桁行方向の耐震補強架構を、住戸１２内を通過するメガブレース構造１８で構成した。メガブレース構造を、住戸内の仕切り壁に配置してもよい。【選択図】図１
2011117189.tif 000002
【特許請求の範囲】
【請求項１】
桁行方向に長い平面形状とされ、各階に複数の住戸が桁行方向に沿って配置される板状の形態の集合住宅建物において、
桁行方向の主架構をラーメン構造で構成し、梁間方向の主架構を耐震壁で構成し、桁行方向の耐震補強架構を、前記住戸内を通過するメガブレース構造で構成したことを特徴とする集合住宅建物。
【請求項２】
前記メガブレース構造を、前記住戸内の仕切り壁に配置したことを特徴とする請求項１に記載の集合住宅建物。
【請求項３】
前記仕切り壁は、水廻りゾーンの壁であることを特徴とする請求項２に記載の集合住宅建物。
【請求項４】
梁間方向の梁型を前記耐震壁に内蔵し、桁行方向の梁型を前記メガブレース構造が配置される壁に内蔵することによって、前記住戸内の梁型をなくしたことを特徴とする請求項２または３に記載の集合住宅建物。
【請求項５】
前記耐震壁を、前記住戸間を区画する戸境壁として構成し、前記住戸の床を、前記耐震壁方向に向く一方向スラブで構成したことを特徴とする請求項１〜４のいずれか一つに記載の集合住宅建物。
【発明の詳細な説明】
【技術分野】
【０００１】
本発明は、複数の住戸が集合して１棟の建物を構成している集合住宅建物に関し、特に、桁行方向に長い平面形状をなす板状の形態の集合住宅建物に関する。
【背景技術】
【０００２】
従来、桁行方向に長い平面形状をなす板状の形態の集合住宅建物が知られている（例えば、特許文献１参照）。このような板状の形態の集合住宅建物において、梁間方向は、梁型を内蔵した耐震壁構造とすることで住戸内の梁型をなくせるが、桁行方向（建物の長辺方向）は純ラーメンのため、梁型が出る構造架構となってしまう。
【先行技術文献】
【特許文献】
【０００３】
【特許文献１】特開２００２−２９５０３２号公報
【発明の概要】
【発明が解決しようとする課題】
【０００４】
このような板状の形態の集合住宅建物において、内部空間の使用性、美観、眺望に対する要望などから、住戸内の梁型をなくせる構造の開発が求められている。
【０００５】
本発明は、上記に鑑みてなされたものであって、住戸内の梁型をなくすことができる板状の形態の集合住宅建物を提供することを目的とする。
【課題を解決するための手段】
【０００６】
上記した課題を解決し、目的を達成するために、本発明の請求項１に係る集合住宅建物は、桁行方向に長い平面形状とされ、各階に複数の住戸が桁行方向に沿って配置される板状の形態の集合住宅建物において、桁行方向の主架構をラーメン構造で構成し、梁間方向の主架構を耐震壁で構成し、桁行方向の耐震補強架構を、前記住戸内を通過するメガブレース構造で構成したことを特徴とする。
【０００７】
また、本発明の請求項２に係る集合住宅建物は、上述した請求項１において、前記メガブレース構造を、前記住戸内の仕切り壁に配置したことを特徴とする。
【０００８】
また、本発明の請求項３に係る集合住宅建物は、上述した請求項２において、前記仕切り壁は、水廻りゾーンの壁であることを特徴とする。
【０００９】
また、本発明の請求項４に係る集合住宅建物は、上述した請求項２または３において、梁間方向の梁型を前記耐震壁に内蔵し、桁行方向の梁型を前記メガブレース構造が配置される壁に内蔵することによって、前記住戸内の梁型をなくしたことを特徴とする。
【００１０】
また、本発明の請求項５に係る集合住宅建物は、上述した請求項１〜４のいずれか一つにおいて、前記耐震壁を、前記住戸間を区画する戸境壁として構成し、前記住戸の床を、前記耐震壁方向に向く一方向スラブで構成したことを特徴とする。
【発明の効果】
【００１１】
本発明によれば、桁行方向に長い平面形状とされ、各階に複数の住戸が桁行方向に沿って配置される板状の形態の集合住宅建物において、桁行方向の主架構をラーメン構造で構成し、梁間方向の主架構を耐震壁で構成し、桁行方向の耐震補強架構を、前記住戸内を通過するメガブレース構造で構成したので、住戸内の梁型を耐震壁やメガブレース構造に内蔵等することによって、住戸内の梁型をなくすことができる。
【図面の簡単な説明】
【００１２】
【図１】図１は、本発明に係る集合住宅建物を示す正面断面図である。
【図２】図２は、本発明に係る集合住宅建物を示す平面図である。
【図３】図３は、本発明の実施例１に係る集合住宅建物を示す正面図である。
【図４】図４は、本発明の実施例２に係る集合住宅建物を示す正面図である。
【図５】図５は、本発明の実施例３に係る集合住宅建物を示す正面図である。
【図６】図６は、本発明の実施例４に係る集合住宅建物を示す正面図である。
【図７】図７は、本発明の実施例５に係る集合住宅建物を示す正面図である。
【図８】図８は、住戸タイプ１の平面図である。
【図９】図９は、住戸タイプ２の平面図である。
【発明を実施するための形態】
【００１３】
以下に、本発明に係る集合住宅建物の実施例を図面に基づいて詳細に説明する。なお、この実施例によりこの発明が限定されるものではない。
【００１４】
図１および図２に示すように、本発明に係る集合住宅建物１０は、桁行方向に長い平面形状とされ、各階に複数の住戸１２が桁行方向に沿って配置される板状の形態の集合住宅建物である。集合住宅建物１０の桁行方向の主架構はラーメン構造１４で構成し、梁間方向の主架構は耐震壁１６で構成してある。桁行方向の耐震補強架構は、住戸１２内を通過する耐震要素のメガブレース構造１８で構成してある。ここで、図１のハッチング部分Ａに示すように、壁をブレース状に配置してもよい。この壁は無開口あるいは有開口の耐震壁で構成する。
【００１５】
メガブレース構造１８は、桁行方向のプラン中心部に設けてあり、例えば、住戸１２内の水廻りゾーン等の壁を利用して構築することができる。耐震要素であるメガブレース構造１８は１フレームであり、必ずしも剛心位置に設けられないため、集合住宅建物１０にねじれ変形の発生が予想される場合には、梁間方向の耐震壁１６を利用してねじれの力に抵抗するようにしてもよい。
【００１６】
集合住宅建物の梁は、メガブレース構造１８のブレースを繋ぐ水平梁と最上階の大梁のみとしてある。また、住戸１２の床２０は、耐震壁１６方向に向く一方向スラブで構成され、耐震壁１６に荷重を伝達するようにしてある。これにより、住戸１２内の梁型をなくすことができる。
【００１７】
このように、本発明によれば、住戸１２内の梁型をなくすことができるので、集合住宅建物の階高が抑えられ、通常よりも建物の高さが抑えられる。また、住戸のレイアウトのフレキシビリティーが高まるので、内部空間の使用性、美観が向上し、眺望を良好なものとすることができる。
【００１８】
次に、本発明の集合住宅建物の実施例１〜実施例５について説明する。
図３〜図７は、それぞれ本発明の実施例１〜実施例５の集合住宅建物の正面図である。実施例１〜実施例５の集合住宅建物は、スパン６ｍ、階高３ｍ程度で、壁柱の厚み５００ｍｍ、ブレースの厚さ３００ｍｍ程度の建物を想定したものである。実施例１は６階６スパン案（１）、実施例２は６階６スパン案（２）、実施例３は６階８スパン案、実施例４は６階７スパン案（１）、実施例５は６階７スパン案（２）としたものである。図３〜図７中の符号１の住戸タイプ１、符号２の住戸タイプ２のプランは、図８および図９にそれぞれ示してある。
【００１９】
住戸タイプ１は、図８に示すように、玄関・廊下Ｆが住戸１２の端に配置されるプランに対応するものである。住戸タイプ２は、図９に示すように、玄関・廊下Ｆが住戸１２の中央からやや偏心した位置に配置される中廊下型のプランに対応するものである。
【００２０】
全ての住戸ユニットが単独で成立するのは実施例２の６階６スパン案（２）である。図３、図５〜図７中（実施例１、３〜５）の符号３で示される住戸タイプ３の住戸については、階高が４ｍ程度以上なければ開口が確保できないため、隣戸からの延長として使用する。集合住宅建物が階段室型マンションのような中入り住戸の場合には、メガブレース構造１８のブレース面に向けて階段を配置することで、ブレースのプランに対する影響を殆どなくすことができる。なお、住戸タイプ１〜３に該当しない住戸については、一般的なタイプのプランに対応可能である。
【００２１】
以上説明したように、本発明によれば、桁行方向に長い平面形状とされ、各階に複数の住戸が桁行方向に沿って配置される板状の形態の集合住宅建物において、桁行方向の主架構をラーメン構造で構成し、梁間方向の主架構を耐震壁で構成し、桁行方向の耐震補強架構を、前記住戸内を通過するメガブレース構造で構成したので、住戸内の梁型を耐震壁やメガブレース構造に内蔵等することによって、住戸内の梁型をなくすことができる。
【産業上の利用可能性】
【００２２】
以上のように、本発明に係る集合住宅建物は、複数の住戸が集合して１棟の建物を構成しているマンションなどの集合住宅建物に有用であり、特に、桁行方向に長い平面形状をなす板状の形態の集合住宅建物に適している。
【符号の説明】
【００２３】
１  住戸タイプ１
２  住戸タイプ２
３  住戸タイプ３
１０  集合住宅建物
１２  住戸
１４  ラーメン構造
１６  耐震壁
１８  メガブレース構造
２０  床
【図１】
2011117189.tif 000003
【図２】
2011117189.tif 000004
【図３】
2011117189.tif 000005
【図４】
2011117189.tif 000006
【図５】
2011117189.tif 000007
【図６】
2011117189.tif 000008
【図７】
2011117189.tif 000009
【図８】
2011117189.tif 000010
【図９】
2011117189.tif 000011